(57)【特許請求の範囲】
【請求項１】
ベッド（４）のサイドフレーム（７）に着脱可能に取り付けられる基枠（５）の一側端部に垂直部（６ａ）と水平部（６ｂ）とからなるＬ字形アーム（６）の垂直部（６ａ）下端を接合して手摺本体（２）を側面視で一側開口のコ字型に構成して、サイドフレーム（７）の足部側に取り付けた際に、ベッド（４）上に仰臥している人が足を伸ばした状態で左右方向に通過可能な頭部側開口の空間部（Ｓ）を設け、前記Ｌ字形アーム（６）の水平部（６ｂ）先端に左右方向に張り出すように平面視においてループ状に形成した取っ手（１１）を固着し、さらに前記手摺本体（２）には、その側面視中央空間部（Ｓ）を塞ぐように枠体（３）を立設すると共に、この枠体（３）を適宜着脱可能として、前記空間部（Ｓ）を側面視において適宜開放可能としたことを特徴とするベッドにおける手摺装置。
【請求項２】
前記手摺本体（２）に着脱可能な前記枠体（３）を、前記基枠（５）に横方向に設けたボス（１５），（１５）に枠体（３）の脚部（１３），（１３）下端に設けた直角に曲折されたピン（１４），（１４）を嵌入することで、前記空間部（Ｓ）を塞ぐ立設状態と、前記Ｌ字型アーム（６）の水平部（６ｂ）に上下方向に設けたボス（１６），（１６）に嵌入させることで、略々水平に保持される状態とに、適宜取り付け状態を変更可能として、前記空間部（Ｓ）を側面視において適宜開放可能としたことを特徴とする請求項１に記載のベッドにおける手摺装置。
【発明の詳細な説明】
【０００１】
【産業上の利用分野】
本発明は、身体障害者や老人等が使用するベッドに取り付けられる手摺装置に関するものであり、詳しくは、仰臥状態からベッド側部に起立状態となるまでの手掛かりとなると共に、布団等の落下防止用柵あるいは布団の収納棚としても利用できる手摺装置に関するものである。
【０００２】
【従来の技術】
従来より、身体障害者や老人等が使用するベッドに取り付けて、布団等の落下防止のための側柵とベッド側部から立ち上がる際の手掛かりとして利用される手摺とを兼用した手摺装置は種々提案されている。
【０００３】
しかしながら上記従来の手摺装置は、ベッドの頭部側に取り付けて主に寝返り時の手掛かりとなるものであり、布団等の落下防止のための側柵としてはその機能が十分に発揮されていなかった。
【０００４】
また、ベッド上の仰臥状態からベッド側部に立ち上がる状態に姿勢変換する際や介護者がベッド上に仰臥している人を介護する際には、布団の収納場所が無く不便であった。
【０００５】
【発明が解決しようとする課題】
そこで本発明は、ベッドの足部側に取り付けて布団等の落下防止のための側柵として十分な機能を発揮すると共に、ベッド上で仰臥している人がベッド側部に立ち上がる状態に姿勢変換する際の手掛かりとなり、この姿勢変換の際には足を曲げることなく楽に足をベッド側方に移動させることができ、さらに布団の収納棚にもなる手摺装置とすることを課題としている。
【０００６】
【課題を解決するための手段】
本発明は上記課題を解決するために、次のようにした。すなわち、ベッド４のサイドフレーム７に着脱可能に取り付けられる基枠５の一側端部に垂直部６ａと水平部６ｂとからなるＬ字形アーム６の垂直部６ａ下端を接合して手摺本体２を側面視で一側開口のコ字型に構成して、サイドフレーム７の足部側に取り付けた際に、ベッド４上に仰臥している人が足を伸ばした状態で左右方向に通過可能な頭部側開口の空間部Ｓを設け、前記Ｌ字形アーム６の水平部６ｂ先端に左右方向に張り出すように平面視においてループ状に形成した取っ手１１を固着し、さらに前記手摺本体２には、その側面視中央空間部Ｓを塞ぐように枠体３を立設すると共に、この枠体３を適宜着脱可能として、前記空間部Ｓを側面視において適宜開放可能としたことを特徴とするベッドにおける手摺装置とした。
【０００７】
また、前記手摺本体２に着脱可能な前記枠体３を、前記基枠５に横方向に設けたボス１５，１５に枠体３の脚部１３，１３下端に設けた直角に曲折されたピン１４，１４を嵌入することで、前記空間部Ｓを塞ぐ立設状態と、前記Ｌ字型アーム６の水平部６ｂに上下方向に設けたボス１６，１６に嵌入させることで、略々水平に保持される状態とに、適宜取り付け状態を変更可能として、前記空間部Ｓを側面視において適宜開放可能としたことを特徴とするベッドにおける手摺装置とした。
【０００８】
【作用】
この手摺装置は、ベッドの足部側に取り付けて使用する。通常は、枠体を立設状態に取り付けておき、布団等の落下防止用柵として使用する。
【０００９】
ベッド上に仰臥している人がベッド側部に腰掛けた状態に姿勢変換するとき等は、枠体を水平状態に付け替える。すると、この手摺装置は中央部に空間部を形成する一側開口の側面視コ字型となり、その一側開口の空間部に仰臥者の足を通過させることができる。また、水平状態の枠体が布団の収納棚を形成し、この枠体の上面に布団を置くことができる。
【００１０】
【実施例】
以下、本発明の実施例について図面に基づき詳細に説明する。
【００１１】
この手摺装置１は、手摺本体２と差込式の枠体３とからなり、前記手摺本体２をベッド４の足部側の側部に取り付けて身体障害者や老人等のベッド使用者が仰臥状態から起き上がったり、ベッド４から立ち上がったりする際の手掛かりとなし、一方の差込式の枠体３は手摺本体２に着脱可能に設けられ、立設状態に取り付けたときには布団等の落下防止用柵となり、水平状態に取り付けたときには布団の収納用棚となる。
【００１２】
前記手摺本体２は下部に基枠５を備え、この基枠５の一側端部には、垂直方向に設けられる垂直部６ａとこの上端から基枠５の他端側へ水平状に伸びる水平部６ｂとを一体的に形成してなるＬ字形アーム６の下端部が接合されている。すなわち、この手摺本体２は側面視が前後一側開口のコ字型に構成されており、その中央部には足を左右に通過可能な一側開口の空間部Ｓが設けられている。
【００１３】
一方、ベッド４のサイドフレーム７には、長手方向に沿って所定間隔を置いて取付孔８，８…が設けられている。そして、基枠５から下方に向けて突設される差込軸９，９をそれに対応する取付孔８，８に挿入することによって、この基枠５がベッド４に取り付けられるようになっている。
【００１４】
前記差込軸９，９の下端部にはねじ孔（図示せず）が形成されており、これに下方からボルト１０，１０を螺合させて、手摺本体２をサイドフレーム７にしっかりと固定できるようになっている。なお、手摺本体２のベッド４への固定手段は、本実施例に限定されるものではなく、基枠５をサイドフレーム７にしっかりと固定できるものであれば適宜な構成でよい。
【００１５】
１１は、平面視がループ状に形成された取っ手であり、前記Ｌ字形アーム６の水平部６ｂ先端に固着されている。この取っ手１１は、手摺本体２をベッド４の足元側に取り付けたときに、側面視でベッド４の略々中間部に位置するように設けられている。すなわち、ベッド４上で仰臥している人が少し手を伸ばせばこの取っ手１１を掴むことができ、上半身を起こすときの手掛かりとなり、ベッド４側部に立ち上がるときにもこの取っ手１１を手掛かりとして立ち上がることができる。
【００１６】
１２は手摺本体２の補強部材であり、これによって、取っ手１１に掴まって身体を支えるときにＬ字形アーム６が大きく撓まないようになっている。
【００１７】
一方、前記枠体３はパイプ部材をループ状に形成してなり、下部には一対の脚部１３，１３が設けられている。そして、脚部１３，１３の下端には、先端が直角に屈曲したピン１４，１４がそれぞれ設けられており、このピン１４，１４を基枠５に設けられる横方向のボス１５，１５に嵌入することによって、この枠体３が立設状態に取り付けられるようになっている。また、Ｌ字形アーム６の水平部６ｂにも前記ピン１４，１４を嵌入可能なボス１６，１６が上下方向に設けられており、ピン１４，１４をこのボス１６，１６に差し替えると、枠体３が水平状態に取り付けられるようになっている。
【００１８】
なお、前記ピン１４，１４の抜け止めを構成しておけば、枠体３が不測に抜ける心配が無く、より安全である。
【００１９】
以上に説明した手摺装置１は、ベッド４の足部側に取り付けて使用する。通常は、図２に示すように、枠体３を立設状態に取り付けておき、布団等の落下防止用柵として使用する。
【００２０】
ベッド４上に仰臥している人がベッド４側部に腰掛けた状態に姿勢変換するとき等は、枠体３を水平状態に付け替える。すると、この水平状態の枠体３が布団の収納棚を形成し、図５に示すように、この枠体３の上面に布団を置くことができるので、布団が邪魔になるときの置き場所に困らない。
【００２１】
この状態から仰臥者は、図３に示すように取っ手１１を手掛かりとして上半身を起こしながらベッド４側部に腰掛けた状態に姿勢変換していくが、手摺本体２は頭部側開口のコ字型に構成されており、その中央部には足を左右に通過可能な一側開口の空間部Ｓが形成されているから、図４に示すように、仰臥者は足を曲げなくても楽に床面に足を下ろすことができる。
【００２２】
【発明の効果】
以上に説明したように、本発明にかかるベッドにおける手摺装置は、通常は布団等の落下防止用側柵として使用できると共に枠体を付け替えることにより布団の収納用棚としても使用できる。また、ベッド上に仰臥している身体障害者や老人等が姿勢変換する際には、取っ手を手掛かりとして楽に姿勢変換できる。このとき、手摺本体をベッドに取り付けたままでも楽に足をベッド側方へ移動させることができる。
【図面の簡単な説明】
【図１】本発明にかかる手摺装置を示す斜視図
【図２】落下防止用柵としての使用状態を示す側面図
【図３】姿勢変換時の使用状態を説明する側面図
【図４】その平面図
【図５】布団収納棚としての使用状態を示す正面図
【符号の説明】
１  手摺装置
２  手摺本体
３  枠体
４  ベッド
５  基枠
６  Ｌ字形アーム
６ａ  垂直部
６ｂ  水平部
７  サイドフレーム
１１  取っ手
Ｓ  空間部
【図１】
0003815749.tif 000002
【図２】
0003815749.tif 000003
【図３】
0003815749.tif 000004
【図４】
0003815749.tif 000005
【図５】
0003815749.tif 000006